(57)【要約】【課題】  シート用カバーと、シート用カバーから臨出するシートの素地との段差による肌の擦れを少なくして心地よく着座できるようにし、さらには、濡れたシート用カバーをシートに装着した状態で自然乾燥できるようにする。【解決手段】  所定の間隔をおいて形成された一対の縦長の肩ベルト挿通孔１１，１１と、該肩ベルト挿通孔１１，１１の間の下方に形成された股間ベルト挿通孔１２とを備えたシート用カバーにおいて、上記肩ベルト挿通孔１１，１１を被覆する一対の孔被覆部１３，１３をカバー本体の前面側に設ける。【選択図】図１
2007068907.tif 000002
【特許請求の範囲】
【請求項１】
所定の間隔をおいて形成された一対の縦長の肩ベルト挿通孔（１１，１１）と、該肩ベルト挿通孔（１１，１１）の間の下方に形成された股間ベルト挿通孔（１２）とを備えたシート用カバーにおいて、
上記肩ベルト挿通孔（１１，１１）を被覆する一対の孔被覆部（１３，１３）がカバー本体の前面側に設けられてなることを特徴とするシート用カバー。
【請求項２】
上記一対の孔被覆部（１３，１３）は、肩ベルト挿通孔（１１，１１）間であって、カバー本体上の互いに離間した位置から互いに反対方向に延出するよう設けられ、しかも、それぞれ先端側がカバー本体に着脱可能に構成されてなることを特徴とする請求項１に記載のシート用カバー。
【請求項３】
肩ベルト挿通孔（１１，１１）の開口周縁部の所定の位置、及び該開口周縁部の所定の位置に対応する孔被覆部（１３，１３）の位置に、一対の留め具（１５ａ，１５ｂ）が取り付けられ、しかも、少なくともいずれか一方の留め具（１５ａ，１５ｂ）には、指通し（１６）が取り付けられてなることを特徴とする請求項１又は２に記載のシート用カバー。
【請求項４】
チャイルドシート、乳母車、車椅子、自動車などのシート（１）に装着されるシート用カバーにおいて、カバー本体上の互いに離間した位置から互いに反対方向に延出する一対の伸張用把持部（１３，１３）がカバー本体の前面側に設けられ、しかも、該一対の伸張用把持部（１３，１３）は、それぞれ先端側がカバー本体に着脱可能に構成されてなることを特徴とするシート用カバー。
【請求項５】
所定の間隔をおいて形成された一対の縦長の肩ベルト挿通孔（１１，１１）と、該肩ベルト挿通孔（１１，１１）の間の下方に形成された股間ベルト挿通孔（１２）とが備えられ、しかも、肩ベルト挿通孔（１１，１１）を被覆すべく、カバー本体上の互いに離間した位置から互いに反対方向に延出する一対の孔被覆部（１３，１３）がカバー本体の前面側に設けられると共に、該一対の孔被覆部（１３，１３）のそれぞれ先端側がカバー本体に着脱可能に構成されてなる、シート用カバーの簡易乾燥方法であって、
チャイルドシート、乳母車、車椅子、自動車などのシート（１）に装着した状態のシート用カバー（１０）において、カバー本体から離脱させた孔被覆部（１３，１３）の先端側を互いに反対方向に引っ張って、カバー本体をシート（１）のシート面から離間させて略平坦にし、この状態を維持できる位置で、孔被覆部（１３，１３）の先端側をカバー本体に固定するようにしたことを特徴とするシート用カバーの簡易乾燥方法。
【発明の詳細な説明】
【技術分野】
【０００１】
本発明は、チャイルドシートなどに装着されるシート用カバー、及びシート用カバーの簡易乾燥方法に関する。
【背景技術】
【０００２】
従来のこの種シート用カバーとして、チャイルドシート用カバーを例にとって説明する。該チャイルドシート用カバーは、所定の間隔をおいて形成された一対の縦長の肩ベルト挿通孔と、該両肩ベルト挿通孔の間の下方に形成された股間ベルト挿通孔とを備えたものが公知になっている（特許文献１）。
【特許文献１】特開２００１−１６１５１１号公報
【発明の開示】
【発明が解決しようとする課題】
【０００３】
しかしながら、前記従来のチャイルドシート用カバーの場合、縦長の肩ベルト挿通孔にチャイルドシートの表側に導出された肩ベルトを挿通するので、肩ベルト挿通孔が開放された状態になり、肩ベルト挿通孔の開口周縁部と、該開口部に位置するチャイルドシートの素地とに段差が生じ、この段差によって柔らかい幼児の肌が擦れて着座しづらくなるという問題がある。
【０００４】
また、幼児の汗や飲み物によってチャイルドシート用カバーが濡れた場合、濡れたチャイルドシート用カバーをチャイルドシートに装着した状態で乾燥させる手段が備えられていないので、チャイルドシートからチャイルドシート用カバーを取り外して乾燥させる必要がある。ところが、濡れたチャイルドシート用カバーをチャイルドシートに装着した状態のまま放置してしまうこともあり、幼児にとっては肌触りが悪く不潔であるという問題がある。
【０００５】
そこで、本発明は上記問題点に鑑み、シート用カバーと、シート用カバーから臨出するシートの素地との段差による肌の擦れを少なくして心地よく着座できるようにし、さらには、濡れたシート用カバーをシートに装着した状態で自然乾燥できるようにしたシート用カバー、及びシート用カバーの簡易乾燥方法を提供することを目的とする。
【課題を解決するための手段】
【０００６】
上記課題を解決するために、本発明に係るシート用カバーは、所定の間隔をおいて形成された一対の縦長の肩ベルト挿通孔１１，１１と、該肩ベルト挿通孔１１，１１の間の下方に形成された股間ベルト挿通孔１２とを備えたシート用カバーにおいて、上記肩ベルト挿通孔１１，１１を被覆する一対の孔被覆部１３，１３がカバー本体の前面側に設けられてなることを特徴とするものである。
【０００７】
したがって、シート用カバーを、例えばチャイルドシート１に装着した際に、肩ベルト挿通孔１１，１１が孔被覆部１３，１３によって被覆されるので、肩ベルト挿通孔１３，１３の開口周縁部と、該開口部に位置するチャイルドシート１の素地との段差による違和感がなく、長時間の着座も可能になる。
【０００８】
また、上記一対の孔被覆部１３，１３は、肩ベルト挿通孔１１，１１間であって、カバー本体上の互いに離間した位置から互いに反対方向に延出するよう設けられ、しかも、それぞれ先端側がカバー本体に着脱可能に構成されてなることを特徴とする。
【０００９】
よって、シート用カバーから離脱させた各孔被覆部１３，１３の延設された部位を把持して、シート用カバーをシート１から離間させ、さらに、各孔被覆部１３，１３の延設された部位を互いに反対方向に引っ張れば、離間したシート用カバーの部位を伸張した状態で維持できるようになる。これによって、例えば、汗や飲み物によってシート用カバーが濡れた場合、シート用カバー、及びシートを容易に自然乾燥させることができて、肌触りのよい状態を維持できる。
【００１０】
さらに、肩ベルト挿通孔１１，１１の開口周縁部の所定の位置、及び該開口周縁部の所定の位置に対応する孔被覆部１３，１３の位置に、一対の留め具１５ａ，１５ｂを取り付け、少なくともいずれか一方の留め具１５ａ，１５ｂに指通し１６を取り付けることが好ましい。
【００１１】
そうすれば、留め具１５ａ，１５ｂを容易に嵌合できると共に、留め具１５ａ，１５ｂによって、孔被覆部１３，１３による肩ベルト挿通孔１１，１１の被覆を補助することができる。なお、留め具１５ａ，１５ｂとしては、ボタン、面ファスナなどの凹凸嵌合によるもの、マグネットの磁着によるものなどいずれであってもよい。要するに、孔被覆部１３，１３による肩ベルト挿通孔１１，１１の被覆を補助できるものであればよい。
【００１２】
また、本発明に係るシート用カバーは、チャイルドシート、乳母車、車椅子、自動車などのシート１に装着されるシート用カバーにおいて、カバー本体上の互いに離間した位置から互いに反対方向に延出する一対の伸張用把持部１３，１３がカバー本体の前面側に設けられ、しかも、該一対の伸張用把持部１３，１３は、それぞれ先端側がカバー本体に着脱可能に構成されてなることを特徴とするものである。
【００１３】
この場合、伸張用把持部１３，１３によって、シート用カバー１０が左右方向または上下方向の少なくとも一方に引っ張られることで、引っ張られたシート用カバー１０の部位が平坦な状態でシート１から離脱するので、シート用カバー１０への風通りがよくなり、汗や飲み物などで濡れたシート用カバー１０を自然乾燥させることができる。
【００１４】
加えて、本発明のシート用カバーの簡易乾燥方法は、所定の間隔をおいて形成された一対の縦長の肩ベルト挿通孔１１，１１と、該肩ベルト挿通孔１１，１１の間の下方に形成された股間ベルト挿通孔１２とが備えられ、しかも、肩ベルト挿通孔１１，１１を被覆すべく、カバー本体上の互いに離間した位置から互いに反対方向に延出する一対の孔被覆部１３，１３がカバー本体の前面側に設けられると共に、該一対の孔被覆部１３，１３のそれぞれ先端側がカバー本体に着脱可能に構成されてなる、シート用カバーの簡易乾燥方法であって、チャイルドシート、乳母車、車椅子、自動車などのシート１に装着した状態のシート用カバー１０において、カバー本体から離脱させた孔被覆部１３，１３の先端側を互いに反対方向に引っ張って、カバー本体をシート１のシート面から離間させて略平坦にし、この状態を維持できる位置で、孔被覆部１３，１３の先端側をカバー本体に固定するようにしたことを特徴とするものである。
【発明の効果】
【００１５】
以上説明したように、本発明によれば、肩ベルト挿通孔を孔被覆部によって覆うようにしたので、肌の擦れを少なくして心地よく着座できて、長時間の着座にも有効である。さらに、シート用カバーを孔被覆部、又は伸張用把持部によってカバー本体を伸張してシートのシート面から離間させるようにしたので、汗や飲み物を含んだシート用カバーをシートに装着した状態で自然乾燥できて、幼児、老人、身障者などの被介護者への介護に貢献できる。
【００１６】
また、孔被覆部、又は伸張用把持部は、シート用カバーに対して一体、又は別体であっても簡単に設けられるので、安価に製造できる効果がある。
【発明を実施するための最良の形態】
【００１７】
以下、本発明の一実施形態に係るシート用カバーにつき、添付図面を参照しつつ説明する。
本実施形態のシート用カバーの構成につき、チャイルドシート用カバーを例にとって説明するが、まず、チャイルドシートの構成について簡単に説明する。該チャイルドシート１は、図１及び図２に示すように、長さ調整可能な左右の肩ベルト２，２と、座部３の前側に回動自在に支持された股間ベルト４と、股間ベルト４の端部に設けられたバックル５とを備えている。
【００１８】
背部６の表面側において、左右の両肩ベルト２，２の上側部に筒状の保護カバー７が捲着され、その下方に、起立した状態の股間ベルト４のバックル５に接続される接続具８が設けられている。図示していないが、左右の両肩ベルト２，２は、各一端部がチャイルドシート１の背部６の基底部の両側にそれぞれ固着され、各他端部が背部６の表面上部から裏面上部に導出されている。
【００１９】
この他端部は、チャイルドシート１の裏面側において、上下方向に出退可能な１本の調整ベルトのバックルに接続されており、左右の両肩ベルト２，２と、調整ベルトとで「Ｙ」字形状を呈している。
【００２０】
そして、背部６の裏面側において、幼児Ａの体の大きさに合わせて調整ベルトが上下して、左右の両肩ベルト２，２の保護カバー７が、幼児Ａの肩に当接する一方、両肩ベルト２，２が幼児Ａの肩に優しくフィットし、チャイルドシート１に幼児Ａの体が略固定される。
【００２１】
つぎに本実施形態のチャイルドシート用カバーについて説明する。該チャイルドシート用カバー１０は、図１〜図４に示すように、チャイルドシート１の略全体を覆う袋状を呈し、例えば伸縮性を有する生地によって作製されている。さらに、チャイルドシート用カバー１０には、その略中央部の両側に平行して形成された縦長の肩ベルト挿通孔１１，１１と、該肩ベルト挿通孔１１，１１の間の下方に形成された略円形状の股間ベルト挿通孔１２と、肩ベルト挿通孔１１，１１の両側縁部に跨って肩ベルト挿通孔１１，１１を被覆する孔被覆部１３，１３と、チャイルドシート１の上方から被せるための挿入開口部２０とから構成されている。
【００２２】
各肩ベルト挿通孔１１，１１は、チャイルドシート用カバー１０の縦方向の中心線の対称位置に、該中心線に沿って形成されている。そして、各肩ベルト挿通孔１１，１１には、チャイルドシート１の背部６の表側に導出された肩ベルト２，２が挿入される。
【００２３】
各孔被覆部１３，１３は、肩ベルト挿通孔１１，１１間であって、カバー本体上の互いに離間した位置から互いに反対方向に延出するよう設けられ、しかも、それぞれ先端側がカバー本体に着脱可能に構成肩ベルト挿通孔１１，１１間において対向位置に配され、その対向する一端部（基端部）が、各肩ベルト挿通孔１１，１１の間の部位に所定の間隔をおいて平行して逢着されている。さらに、他端部（先端部）が、互いに反対方向に延出するよう設けられて、その裏面に逢着された面ファスナ１４によって着脱可能に構成されている。
【００２４】
さらに、各孔被覆部１３，１３には、肩ベルト挿通孔１１，１１の被覆を補助すべく、留め具１５ａ，１５ｂが取り付けられている（図４参照）。即ち、該留め具１５ａ，１５ｂは、肩ベルト挿通孔１１，１１の開口周縁部に逢着された略環状の指通し１６の略中央部と、それに対応する位置（孔被覆部１３，１３の一端部）とにそれぞれ取り付けられている。
【００２５】
そして、各孔被覆部１３，１３は、肩ベルト挿通孔１１，１１を内側から外側に跨っており、肩ベルト挿通孔１１，１１の両端部の間、即ち肩ベルト２，２の一端部及び導出部の挿通部位を除く部位を閉塞する。
【００２６】
孔被覆部１３，１３は、伸張用把持部としての役目も担っており、離脱させた孔被覆部１３，１３の他端部を引っ張って、チャイルドシート用カバー１０の略中央部、即ち幼児Ａの後頭部や背中、臀部が当接する部位をチャイルドシート１から離間させて略平坦にし、この状態を維持できる位置に孔被覆部１３，１３の端部を固定する。
【００２７】
挿入開口部２０には、伸縮性を有する無端紐状体、即ちゴム紐が内装されている（図示せず）。
【００２８】
つぎに本実施形態のチャイルドシート用カバーの使用態様について説明する。まず、チャイルドシート１にチャイルドシート用カバー１０を装着する場合、各孔被覆部１３，１３を、面ファスナ１４や留め具１５ａ，１５ｂから離脱させて、縦長の肩ベルト挿通孔１１，１１を解放状態にする。
【００２９】
この状態でチャイルドシート１に、その上方からチャイルドシート用カバー１０を被せて、チャイルドシート用カバー１０の肩ベルト挿通孔１１，１１に、チャイルドシート１の表側に導出された肩ベルト２，２を挿通すると共に、股間ベルト挿通孔１２に股間ベルト４を挿通する。
【００３０】
この際、チャイルドシート用カバー１０の挿入開口部２０に内装されたゴム紐がチャイルドシート１の基台の周囲に圧接して、チャイルドシート用カバー１０が仮固定される。
【００３１】
その後、孔被覆部１３，１３を肩ベルト２，２の一端部と導出部位との間に通して、肩ベルト挿通孔１１，１１の両側縁部を跨るようにし、孔被覆部１３，１３を面ファスナ１４や留め具１５ａ，１５ｂによって固定する。これによって、肩ベルト挿通孔１１，１１の両端部（肩ベルト２，２の一端部及び導出部が挿通される部位）を除く部位が孔被覆部１３，１３によって覆われるようになり、肩ベルト挿通孔１１，１１の開口周縁部と、該開口部に位置するチャイルドシート１の素地との段差がなくなり、肌触りがよくなる。なお、チャイルドシート用カバー１０の装着に際し、チャイルドシート用カバー１０が伸縮性を有していることから、孔被覆部１３，１３の他端部を左右方向に引っ張ってチャイルドシート用カバー１０を伸張してチャイルドシート１のシート面（座部３及び背部６）から予め離間させ、略平坦な状態にしておく。
【００３２】
そして、股間ベルト４を座部３の前方に回動させて倒伏させると共に、チャイルドシート用カバー１０をチャイルドシート１の形状（背部６や座部３など）に沿うように適宜調整し、幼児Ａを乗せやすいようにする。
【００３３】
つぎに幼児Ａをチャイルドシート１に搭乗させた場合、幼児Ａの臀部を座部３に乗せて、背中をチャイルドシート１の背部６に当接させると共に、後頭部を背部６の上部に当接させる。続いて、両腕を肩ベルト２，２に通して、股間ベルト４を座部３の後方に回動させて起立させ、幼児Ａの体をチャイルドシート１に略固定した状態にする。
【００３４】
この際、幼児Ａの両肩が孔被覆部１３，１３に当接することになるが、上述したように、該孔被覆部１３，１３によって、肩ベルト挿通孔１１，１１の開口周縁部と、該開口部に位置するチャイルドシート１の素地との段差による擦れがなく、幼児Ａが長時間着座しても心地よい肌触りが持続することになる。
【００３５】
そして、幼児Ａをチャイルドシート１から降ろした後、チャイルドシート用カバー１０の生地自体の伸縮性によって、搭乗していた幼児Ａの体がチャイルドシート用カバー１０を介してチャイルドシート１に密着した部位、即ちチャイルドシート用カバー１０における吸汗部位がチャイルドシート１から離間して略平坦になり、チャイルドシート用カバー１０、及びチャイルドシート１における吸汗部位が乾燥しやすい状態になり、幼児Ａを再搭乗させても乾燥した肌触りのよい状態が維持される。
【００３６】
なお、前記実施形態の場合、チャイルドシート用カバー１０に伸縮性を有する生地を使用したが、そうでない生地の場合には、両孔被覆部１３，１３の端部の固定を一旦解除して、両孔被覆部１３，１３の他端部（先端部）を互いに離間する方向に引っ張って、チャイルドシート用カバー１０における吸汗部位をチャイルドシート１から離間させて略平坦にし、この状態を維持できる位置で、孔被覆部１３，１３を固定し、チャイルドシート用カバー１０、及びチャイルドシート１における吸汗部位を乾燥させる。
【００３７】
この場合、両孔被覆部１３，１３の他端部（先端部）を引っ張る方向としては、左右方向、又は上下方向に伸張するようにしてもよい。さらに、孔被覆部１３，１３を上下左右に設けられてあれば、上下左右方向に伸張するようにしてもよい。但し、チャイルドシート用カバー１０がチャイルドシート１に装着された状態を考慮すれば、左右方向に伸張するのが好ましい。
【００３８】
また、上述したように、孔被覆部１３，１３を伸張用把持部として兼用するのではなく、孔被覆部１３，１３と、伸張用把持部とを個別に設けるようにしてもよく、いずれか一方を設けるようにしてもよい。
【００３９】
さらに、孔被覆部１３，１３の形状は図示に限定されるものではなく、例えば矩形状や円形状であってもよい。要するに、幼児Ａの柔らかい肌が肩ベルト挿通孔１１，１１による段差によって擦れることなく肩ベルト挿通孔１１，１１を被覆できればよく、どのような形状であってもよい。
【００４０】
加えて、既製の椅子、乳母車、介護用車椅子などのシート用カバーに伸張用把持部を設けることで、前記チャイルドシート用カバー１０と同様に、自然乾燥できるのはいうまでもない。
【図面の簡単な説明】
【００４１】
【図１】本発明の一実施形態に係るシート用カバーの実装状態を示す斜視図である。
【図２】図１の正面図である。
【図３】図１の側面図である。
【図４】孔被覆部に取り付けられた留め具の断面図である。
【符号の説明】
【００４２】
１…シート、２…肩ベルト、３…座部、４…股間ベルト、５…バックル、６…背部、７…保護カバー、８…接続具、１０…チャイルドシート用カバー、１１…肩ベルト挿通孔、１２…股間ベルト挿通孔、１３…孔被覆部（伸張用把持部）、１４…面ファスナ、１５ａ，１５ｂ…留め具、１６…指通し、２０…挿入開口部、Ａ…幼児
【図１】
2007068907.tif 000003
【図２】
2007068907.tif 000004
【図３】
2007068907.tif 000005
【図４】
2007068907.tif 000006